(57)【要約】【課題】モザイクタイルユニットを壁面や床面に均一な圧力で押しつけ、効率的に張り付けることができるモザイクタイルユニット振動張付装置を提供する。【解決手段】本発明の振動張付装置においては、振動源１の機械振動によって基板２が機械振動する。この振動張付装置をモザイクタイルユニットに押しつけ、ボンドやモルタルなどの接着層６を介して壁面７に張り付ける。ここに、モザイクタイルユニットは、複数個のモザイクタイル４を目地溝５の分だけ離間させ、台紙３で一体となしたものである。台紙３は、張付工程完了後に剥がされる。振動張付装置は、モザイクタイルの上下辺のほぼ全部に押しつけられており、基板２の振動がモザイクタイル４に伝達される。したがって、作業者は、力を込めて振動張付装置を押しつける必要はなく、それを軽く壁面７に押し当てるだけで、モザイクタイル４は均一な圧力で壁面に張り付く。【選択図】　　　図１
2004100367.tif 000002
【特許請求の範囲】
【請求項１】
振動源と、前記振動源に電力を供給する充電可能な電池と、前記振動源の振動によって振動する基板とを備え、
前記振動源及び前記電池を、前記基板に取り付け、
前記基板をモザイクタイルユニットに押しつけて、前記モザイクタイルユニットを被張付面に均一な圧力で押しつけることを特徴とするモザイクタイルユニット振動張付装置。
【請求項２】
前記振動源は、モーターと、前記モーターの回転軸に偏芯して取り付けた重りとを備え、
前記モーターへの電力供給により前記回転軸を偏芯回転させ、
前記基板を振動させることを特徴とする請求項１記載のモザイクタイルユニット振動張付装置。
【請求項３】
前記基板の一つの面であって、前記振動源を取り付ける面の裏面の上に貼り付けた弾性体板をさらに備えることを特徴とする請求項１記載のモザイクタイルユニット振動張付装置。
【請求項４】
前記振動源を起動するスイッチと、前記スイッチを取り付けた立体カバーをさらに備え、
前記立体カバーを前記基板に取り付けることを特徴とする請求項１記載のモザイクタイルユニット振動張付装置。
【請求項５】
前記基板及び前記立体カバーは、プラスチック成型品であり
前記基板には、前記振動源取付部と前記バッテリー取付部とを成型し、
前記立体カバーには、前記スイッチ取付部と前記バッテリー取出部とを成型することを特徴とする請求項４記載のモザイクタイルユニット振動張付装置。
【請求項６】
前記振動源に供給する電力を制御する手段を備えることを特徴とする請求項１記載のモザイクタイルユニット振動張付装置。
【請求項７】
前記振動源を起動するスイッチを前記弾性体板に取り付けることを特徴とする請求項３記載のモザイクタイルユニット振動張付装置。
【発明の詳細な説明】
【０００１】
【発明が属する技術分野】
本発明は、モザイクタイルユニット振動張付装置に関し、特に、複数個のモザイクタイルを台紙によって連結したいわゆるモザイク紙張りユニットや台紙を使用せず個々のモザイクタイルを樹脂によって連結し樹脂のある面を壁面などに向けて貼り付けるようにしたいわゆるバックジョイントモザイクタイルユニットを、壁面や床面にモルタル等を介して均一な押しつけ圧力で張り付ける装置に関する。
【０００２】
【従来の技術】
従来、特開平７−１２７２２０号公報に記載されているように、壁面や床面にモザイクタイルを貼り付けるには、モザイクタイルを一つずつ貼り付けたのでは時間がかかり煩雑であるため、モザイク紙張りユニットやバックジョイントユニットが利用されるが、これらのモザイクタイルユニットは全体の保形性が悪く、張付作業が難しいという問題があった。そこで、上記公報記載の発明は、目地溝を有するモザイクタイルユニットであって、目地溝において、特に治具を必要とすることなく手の力で簡単に分割できるモザイクタイルユニットに係る。これによると、任意の大きさに適宜分割できるので、湾曲面等への張付も容易であるという効果を奏する。
【０００３】
【発明が解決しようとする課題】
しかしながら、モザイクタイルユニットを適宜分割するか否かに関わりなく、これを壁面や床面にボンドやモルタルなどを介して貼り付ける際には、均一な圧力で、壁面や床面に垂直に押しつける必要がある。
【０００４】
そのため、モザイクタイル数枚分を押すことができる板で、モザイクタイルユニットの一部又は全部を叩いてゆき、これを繰り返してモザイクタイルユニット全体を壁面や床面に張付ける。ここに、上述した叩き板は、たとえば、木やプラスチックなどの板にゴム板を貼り付けたものであり、叩いたときの衝撃をゴム板によって緩和し、モザイクタイルが破損しないようにしている。
【０００５】
しかし、叩き板による張り付けでは、作業者の疲労によって作業を継続することが困難となり、張付作業終了までに時間がかかる。
【０００６】
ところで、モザイクタイルユニットの壁面などへの張り付け面には、通常、複数本のありみぞが形成されている。これは、モルタルやボンドなどの接着剤でありみぞを完全に充填することによって、張付強度を高めるためである。しかし、叩き板による張り付けでは、ありみぞを、接着剤で完全に充填することができず、張付強度が充分ではなかった。
【０００７】
一方、叩き板でタイルを叩く力によってモザイクタイルユニットに圧力を加えるのではなく、たとえば、バッテリー駆動による振動発生源をゴムやプラスチィックの球などに接続し、その球などをモザイクタイルユニットに押しつけることによって、張付圧力を加えることも行われており、このような装置は、モザイクタイル張付専用の装置として市販されている例もある。しかし、モザイクタイルユニットに押しつける球をむやみに大きくすれば押しつけ圧は不均一となる一方、モザイクタイル１枚の面積に比べてあまりに小さくすれば、モザイクタイル１枚に対して均一な押しつけ圧力を与えるのにも多くの箇所に順次押しつけなければならない。また、球などの大きさを最適化したとしても、モザイクタイル１枚を押しつける箇所は少なくなるが、１カ所で済むようにはならない。
【０００８】
そこで、本発明は、モザイクタイルユニットを壁面や床面に均一な圧力で押しつけ、効率的に張り付けることができるモザイクタイルユニット振動張付装置を提供することを課題としている。また、本発明は、張付強度を向上させることができるモザイクタイルユニット振動張付装置を提供することを課題としている。
【０００９】
【課題を解決するための手段】
上記の課題を解決するための本発明のモザイクタイルユニット振動張付装置は、振動源と、前記振動源に電力を供給する充電可能な電池と、前記振動源の振動によって振動する基板とを備え、前記振動源及び前記電池を、前記基板に取り付け、前記平面基板をモザイクタイルユニットに押しつけて、前記モザイクタイルユニットを被張付面に均一な圧力で押しつけるようにしている。
【００１０】
特に、上述した振動源は、モーターと、前記モーターの回転軸に偏芯して取り付けた重りとを備え、前記モーターへの電力供給により前記回転軸を偏芯回転させ、前記平面基板を振動させるようにしてもよい。
【００１１】
【発明の実施の形態】
以下、図面を参照して、本発明の実施の形態について説明する。
【００１２】
図１は、本発明のモザイクタイルユニット振動張付装置の概念的断面図であり、これを使用してモザイクタイルユニットを壁面（床面なども含む）７に張り付ける様子を示している。この振動張付装置は、振動源１と、振動源１を取り付けた基板２を含む。振動源１の機械振動は、振動源１と接触した基板２に伝達される。振動源１はバッテリー内部給電式、振動張付装置外の外部電源による外部給電式のいずれでもよいが、バッテリー、スイッチ、配線等は、簡単のために図示しない。
【００１３】
この振動張付装置を手に持って（装置のカバーは図示されていない）、モザイクタイルユニットに押しつけ、ボンドやモルタルなどの接着層６を介して壁面７に張り付ける。ここに、モザイクタイルユニットは、複数個のモザイクタイル４を目地溝５の分だけ離間させ、台紙３で一体となしたものである。台紙３は、張付工程完了後に剥がされる。
【００１４】
振動張付装置は、モザイクタイルの上下辺のほぼ全部に押しつけられており、基板の振動がモザイクタイルに伝達される。したがって、作業者は、力を込めて振動張付装置を押しつける必要はなく、それを軽く壁面７に押し当てるだけで、モザイクタイルは均一な圧力で壁面に張り付く。
【００１５】
例示したモザイクタイルユニットは、上下方向に３つのモザイクタイルユニットを有しているが、水平方向にも複数のモザイクタイルを含む場合には、振動張付装置を水平方向に移動して張付作業が繰り返される。
【００１６】
【実施例】
図２は、本発明の振動張付装置の実施例の概念的断面図である。この振動張付装置の振動源は、モーター１１と、其の回転軸に偏芯して取り付けられた重り１２を含む。スイッチ１４を入れると、充電可能なバッテリー１３から電力が供給されて、モーター１１の回転軸１１が回転する。ここに、重り１２により回転軸は首振り運動をするため、モーター１１の本体が振動する。モーター１１は基板２の表面に固定されているため、モーター１１の機械振動は、基板２に効率的に伝達される。
【００１７】
バッテリー１３は、充電可能であり、たとえば、半日から一日の張付作業をすることができるようなものが好適である。モーター１１の回転数は、たとえば、１２０００ｒｐｍ程度である。この場合、バッテリー１３の定格が、５ボルト１アンペア程度であるとすると、消費電力５ワット程度のモーターが使用可能である。したがって、この例では、基板２の機械振動の振動数は、２００Ｈｚ程度となる。
【００１８】
基板２の裏面には、ゴムや樹脂などの弾性体板２１が貼り付けられていてもよい。これによって、振動張付装置を誤ってモザイクタイルにぶつけたときでも、衝撃を和らげ、陶磁器、陶器、磁器、半磁器などのモザイクタイルの損傷を防止する。
【００１９】
立体カバー２２は、モーター１１とバッテリー１３を収容するために、基板２に取り付けられる。作業者は、この立体カバー２２を把持し、立体カバー２２に取り付けたスイッチ１４をオン・オフして、張付作業を行う。したがって、立体カバー２２は、把持しやすい適宜の形状とされる。また、黒板消しのように手を差し入れるベルトなど、適宜の把持部を有するものであってもよい。
【００２０】
本発明の振動張付装置の外形は、モザイクタイルユニットの寸法に依存する。例えば、４５ｍｍ×９５ｍｍのモザイクタイルを、目地溝間隔５ｍｍで、３×６個配列したモザイクタイルユニットは、大体３０ｃｍの正方形となる。したがって、基板２の寸法を、１００ｍｍ×３００ｍｍ程度とすれば、６枚のモザイクタイルを一時に張り付けることができるため、振動張付装置を３回移動させれば、モザイクタイルユニット１個の張り付けが終了する。
【００２１】
振動張付装置は、それを作業者が手に持って作業するため、軽量であることが好ましく、材質を木やプラスチックとするとよい。
【００２２】
特に、プラスチック成型品であれば、把持するのに適した所望の形状が容易に得られ、大量生産に適する。
【００２３】
図３は、基板２と立体カバー２２とをプラスチック成型品としたときの、各部及び装置全体の外観図である。
【００２４】
図３（Ａ）は、基板の外観図である。基板２には、振動源取付部１００とバッテリー取付部１３０とが成型されている。振動源取付部１００には、モーター１１の外形に接触するように凹部が設けられ、その振動が効率よく基板２に伝達される。
【００２５】
図３（Ｂ）は、立体カバーの外観図である。立体カバー２２には、スイッチ１４を取付配線を通すためのスイッチ取付部（孔）１４０と、充電のためにバッテリーを出し入れするためのバッテリー取り出し部（開口）１３１とが成型されている。
【００２６】
図３（Ｃ）は、本発明の振動張付装置の外観図である。この装置においては、弾性体板２１を貼り付けた基板２に、スイッチ１４と、指掛け部１３３付きバッテリー収納蓋１３２を有する立体カバー２２が取り付けられている。バッテリー収納蓋１３２は、立体カバー２２の上面に限らず４つある側面のいずれかに取り付けてもよい。
【００２７】
本発明は、以上説明した実施形態に限定されるものではない。
【００２８】
たとえば、図４に示すように、基板に巻き尺を取り付け、テープ上の物差し部を取り出し、例えば、モザイクタイルユニットの間の距離その他の測定に用いるようにしてもよい。
【００２９】
また、図５に示すように、振動源に供給する電力を制御する手段１６０を取り付けてもよい。電力制御手段１６０は、例えば、バッテリーなどの電源と振動源の間の配線を流れる電流を変化させる可変抵抗であってもよい。図中、電力制御手段１６０は、基板２に取り付けられているが、木やプラスチック等の立体カバーに取り付けてもよい。また、電力制御手段１６０の制御つまみは、たとえば、立体カバーのいずれかの箇所に取り付ける。また、そのための取付部は、たとえば、立体カバーとともにプラスチックモールディングで形成されてもよい。
【００３０】
また、図６に示すように、振動源を起動するスイッチＳＷを弾性体板２１に取り付けてもよい。スイッチＳＷは配線１５によってバッテリーＢと振動源１とを接続する。但し、配線の方法は、基板を貫通するか否かを問わず、図示されたものに限定されない。これによって、振動張付装置をモザイクタイルユニットに押し当てると同時に、その圧力のためにスイッチＳＷがオンし、振動源１が振動を開始する。
【００３１】
【発明の効果】
本発明によれば、モザイクタイルユニットを壁面や床面に均一な圧力で押しつけ、張り付けることができるモザイクタイルユニット振動張付装置が提供される。特に、振動張付装置を格別強い力で押しつける必要がないので、作業者の疲労が軽減される。
【００３２】
また、振動によって、モルタルやボンドなどの接着剤が、モザイクタイルのありみぞ内を充填するため、張付強度が向上する。
【図面の簡単な説明】
【図１】本発明のモザイクタイルユニット振動張付装置とその使用方法を説明するための断面図
【図２】本発明のモザイクタイルユニット振動張付装置の実施例の断面図
【図３】基板（Ａ）、立体カバー（Ｂ）、振動張付装置（Ｃ）の外観図
【図４】巻き尺を備えた本発明の振動張付装置の外観図
【図５】電力制御手段を備えた本発明の振動張付装置の断面図。
【図６】弾性体板にスイッチを取り付けた本発明の振動張付装置の断面図。
【符号の説明】
１　振動源
２　基板
３　台紙
４　モザイクタイル
５　目地溝
６　ボンドやモルタルなどの装着層
７　壁面
１１　モーター
１２　重り
１３　バッテリー
１４　スイッチ
１５　配線
２１　ゴム板
２２　立体カバー
１００　振動源取付部
１３０　バッテリー取付部
１３１　バッテリー取出部
１３２　バッテリー収納蓋
１３３　指掛け分
１４０　スイッチ取付部
１５０　巻き尺
１６０　電力制御手段
【図１】
2004100367.tif 000003
【図２】
2004100367.tif 000004
【図３】
2004100367.tif 000005
【図４】
2004100367.tif 000006
【図５】
2004100367.tif 000007
【図６】
2004100367.tif 000008